(57)【要約】【課題】照明システムにおいて、省エネルギー化を図ることができ、壁近辺の照度に影響を及ぼす要因があった場合であっても、屋内全体の照度が所定照度に保持されるように照明する。【解決手段】照明システム１は、窓２１側から壁２２側に向けて順次配列された照明器具３Ａ、３Ｂ、３Ｃと、屋内２に入射する外光の光量を検知する第１の光検知部４と、壁２２からの反射光の光量を検知する第２の光検知部５とを備える。１列目の照明器具３Ａは、第１の光検知部４の検知結果に基づき照明器具を調光制御する制御部１０Ａを有し、Ｎ列目の照明器具３Ｂは、第２の光検知部５の検知結果に基づき照明器具を調光制御する制御部１０Ｂを有する。制御部１０Ａ、１０Ｂは、第１のテーブル１６及び第２のテーブル１７を参照し、外光又は照明光による照度レベルを把握した後、相関テーブル１８を参照して調光率を取得し、当該調光率により照明器具３Ａ、３Ｂ、３Ｃを調光する。【選択図】図１
2009110676.tif 000002
【特許請求の範囲】
【請求項１】
外光の入る屋内を照明する照明システムであって、
屋内において窓側から壁側に向けて順次配列されて設置され、当該配列毎にグループ化された複数の照明器具と、
窓に近接設置されて、屋内に入射する外光の光量を検知する第１の光検知部と、
壁に近接設置されて、壁からの反射光の光量を検知する第２の光検知部と、
前記第１の光検知部及び第２の光検知部の検知結果に基づいて、前記複数の照明器具を調光制御する制御部とを備え、
前記複数の照明器具同士は、相互通信を行って前記制御部の指示に従って制御されるように通信線により接続されており、
前記制御部は、
前記第１の光検知部の出力値に応じて、前記複数の照明器具が設置された各位置での外光の受光量を記録した第１のテーブルと、
前記第２の光検知部の出力値に応じて、前記複数の照明器具が設置された各位置での壁近辺の照度に影響を及ぼす照明光の受光量を記録した第２のテーブルと、
前記第１のテーブル及び前記第２のテーブルに記録した前記外光の受光量又は照明光の受光量から得られる外光又は照明光による照度レベルに基づき、前記複数の照明器具の照度レベルを予め設定された設定値に変更するための調光率を記録した相関テーブルとを備え、
前記第１のテーブル及び前記第２のテーブルを参照して、前記外光又は照明光による照度レベルを把握した後、前記相関テーブルを参照して前記調光率を取得し、当該調光率により前記複数の照明器具の調光を行うことを特徴とする照明システム。
【発明の詳細な説明】
【技術分野】
【０００１】
本発明は、屋内に設置された複数の照明器具を、その照明エリア内の光量に応じて調光点灯させる照明システムに関する。
【背景技術】
【０００２】
従来より、事務所、学校、工場等の屋内に配備される照明システムとして、屋内に入射する昼光等の外光の光量に応じて照明光の光量を自動的に調整することにより、屋内の照度を所定照度に保つようにしたものが知られている。
【０００３】
ここで、この種の照明システムとして、特許文献１に記載された照明システムについて図１０乃び図１１を参照して説明する。図１０は照明システムの電気的なブロック構成を示し、図１１は照明システムの配列構成を示す。照明システム１０１は、複数の照明器具１０２１、１０２２、・・・１０２ｎと、光量を検知する光検知部１０３と、光検知部１０３の検知結果に基づき、照明器具１０２１、１０２２、・・・１０２ｎを調光制御する制御部１０４とを備える。
【０００４】
照明器具１０２１、１０２２、・・・１０２ｎはそれぞれ、蛍光灯等の光源１２１と、制御部１０４からの調光信号に応じて、光源１２１への供給電力を調整する調光点灯装置１２２で構成されている。また、照明器具１０２１、１０２２、・・・１０２ｎは、屋内において窓側から壁側に向けて１列目、２列目、・・・Ｎ列目というように順次配列されて設置され、窓側から壁側に並んだ配列毎にグループ化されている。光検知部１０３は、窓側に近接する１列目の照明器具１０２１に設けられており、この照明器具１０２１の近傍に配置される被照射面からの反射光量を検知する。制御部１０４には、光検知部１０３から得られる反射光量と、各列の照明器具１０２１、１０２２、・・・１０２ｎの近傍にそれぞれ配置される被照射面（各列の被照射面）の照度との相関データを記憶した記憶部が設けられている。制御部１０４は、光検知部１０３で検知した反射光量の変化に応じて、対応する相関データを記憶部から読み出し、読み出した相関データに基づいて、各列の被照射面の照度がユーザにより設定される所定照度に保持されるように、調光信号を各列の照明器具１０２１、１０２２、・・・１０２ｎに出力する。
【０００５】
上記のように構成された照明システム１０１では、光検知部１０３によって窓から射し込む外光の光量が検知され、その光量に連動して、各列の照明器具１０２１、１０２２、・・・１０２ｎが調光点灯を行うことになり、屋内の照度が所定照度に保持され、かつ消費電力を抑えて省エネルギー化を図ることが可能になる。
【０００６】
しかしながら、上述したような照明システムでは、例えば、壁近辺にこの照明システムとは別の照明器具が設けられる等して、壁近辺の照度に影響を及ぼす要因があるときには、その光量に連動して照明器具を調光点灯させることができず、壁近辺が必要以上に明るくなって所望照度を保持することができない。
【特許文献１】特開平８−１９５２８３号公報
【発明の開示】
【発明が解決しようとする課題】
【０００７】
本発明は、上記問題を解決するためになされたものであり、消費電力を抑えて省エネルギー化を図ることが可能であって、壁近辺の照度に影響を及ぼす要因があった場合であっても、屋内全体の照度が所定照度に保持されるように照明することができる照明システムを提供することを目的とする。
【課題を解決するための手段】
【０００８】
上記目的を達成するために請求項１の発明は、外光の入る屋内を照明する照明システムであって、屋内において窓側から壁側に向けて順次配列されて設置され、当該配列毎にグループ化された複数の照明器具と、窓に近接設置されて、屋内に入射する外光の光量を検知する第１の光検知部と、壁に近接設置されて、壁からの反射光の光量を検知する第２の光検知部と、前記第１の光検知部及び第２の光検知部の検知結果に基づいて、前記複数の照明器具を調光制御する制御部とを備え、前記複数の照明器具同士は、相互通信を行って前記制御部の指示に従って制御されるように通信線により接続されており、前記制御部は、前記第１の光検知部の出力値に応じて、前記複数の照明器具が設置された各位置での外光の受光量を記録した第１のテーブルと、前記第２の光検知部の出力値に応じて、前記複数の照明器具が設置された各位置での壁近辺の照度に影響を及ぼす照明光の受光量を記録した第２のテーブルと、前記第１のテーブル及び前記第２のテーブルに記録した前記外光の受光量又は照明光の受光量から得られる外光又は照明光による照度レベルに基づき、前記複数の照明器具の照度レベルを予め設定された設定値に変更するための調光率を記録した相関テーブルとを備え、前記第１のテーブル及び前記第２のテーブルを参照して、前記外光又は照明光による照度レベルを把握した後、前記相関テーブルを参照して前記調光率を取得し、当該調光率により前記複数の照明器具の調光を行うものである。
【発明の効果】
【０００９】
請求項１の発明によれば、第１のテーブル及び第２のテーブルを参照して外光又は反射光による照度レベルを把握した後、相関テーブルを参照して調光率を取得し、当該調光率により複数の照明器具の調光を行うので、屋内全体の照度が所定照度に保持されるように屋内照明することができる。また、無駄な消費電力を抑えて省エネルギー化を図ることができる。
【発明を実施するための最良の形態】
【００１０】
（第１の実施形態）
本発明の第１の実施形態に係る照明システムについて図１乃至図６を参照して説明する。図１は本実施形態に係る照明システムの概略構成を示し、図２は本照明システムの配列構成を示す。照明システム１は、外光の入る事務所、学校、工場等の屋内２を照明するものである。照明システム１は、屋内２に設置された照明器具３Ａ、３Ｂ、３Ｃと、照明器具３Ａ、３Ｂ、３Ｃと接続され、窓２１を通って屋内２に入射する外光の光量を検知する第１の光検知部４と、照明器具３Ａ、３Ｂ、３Ｃと接続され、壁２２からの反射光の光量を検知する第２の光検知部５とを備える。
【００１１】
照明器具３Ａ、３Ｂ、３Ｃは、屋内２に設置された被照射体６に照明光を照射するものであり、照明器具３Ａ、３Ｂ、３Ｃの照度レベルとは、被照射体６への照明光を指標とするものである。被照射体６とは、机や棚等である。照明器具３Ａ、３Ｂ、３Ｃは、複数あって、屋内２の天井２３部分に窓２１側から壁２２側に向けて１列目、２列目、・・・Ｎ列目というように順次配列されている。ここで、本実施形態では、最も窓２１側に位置する１列目の照明器具を照明器具３Ａとし、最も壁２２側に位置するＮ列目の照明器具を照明器具３Ｂとし、１列目とＮ列目の間にある２列目〜Ｎ−１列目の照明器具を照明器具３Ｃとしている。照明器具３Ａ、３Ｂ、３Ｃは、窓２１側から壁２２側に並んだ配列毎に、図１での上方から下方に向けてＡ行、Ｂ行、Ｃ行、Ｄ行というようにグループ化されている。照明器具３Ａ、３Ｂ、３Ｃには、上記グループ化された配列に対応するアドレスが割り振られており、例えば、Ａ行の１列目の照明器具には、アドレスとして＃Ａ−１が設定され、Ｄ列のＮ列目の照明器具には、アドレスとして＃Ｄ−Ｎが設定されている。照明器具３Ａ、３Ｂ、３Ｃ同士は、相互通信を行って後述する制御部１０Ａ、１０Ｂ、１０Ｃの指示に従って制御されるように通信線６により接続されている。
【００１２】
第１の光検知部４は、窓２１に近接設置されており、具体的には、１列目の照明器具３Ａ、換言するとアドレスとして＃Ａ−１、＃Ｂ−１、＃Ｃ−１、＃Ｄ−１が設定されたものに取り付けられる。外光の光量の検知方法としては、第１の光検知部４のセンシング部を床面に向けて、外光の床面からの反射光を受光する方法と、センシング部を窓２１に向けて、直接外光を受光する方法が挙げられる。第１の光検知部４は、受光した光量が多いときには高電圧を発生し、受光した光量が少ないときには低電圧を発生するように構成されており、受光した光量をそれに応じた電圧レベルに変換し、検知結果として電圧信号を出力する。
【００１３】
第２の光検知部５は、壁２２に近接設置されており、具体的には、Ｎ列目の照明器具３Ｂ、換言するとアドレスとして＃Ａ−Ｎ、＃Ｂ−Ｎ、＃Ｃ−Ｎ、＃Ｄ−Ｎが設定されたものに取り付けられる。第２の光検知部５は、センシング部を壁２２に向けて設置されており、第１の光検知部４と同様に、受光した光量を電圧レベルに変換して電圧信号を出力する。
【００１４】
ここで、照明器具３Ａ、３Ｂ、３Ｃの内部構成について詳述する。図３（ａ）（ｂ）（ｃ）は各照明器具の電気的なブロック構成を示す。照明器具３Ａ、３Ｂ、３Ｃは、１列目の照明器具３Ａと、Ｎ列目の照明器具３Ｂと、２列目〜Ｎ−１列目の照明器具３Ｃとで構成が異なる。１列目の照明器具３Ａはそれぞれ、図３（ａ）に示すように、光源８と、光源８の光出力を変更するための調光率が設定された点灯回路９と、点灯回路９に調光率を変化させる調光信号を送信し、光源８を調光制御する制御部１０Ａとを備える。光源８としては、蛍光灯や白熱灯、ＬＥＤ等が挙げられる。光源８は、図に示されるように点灯回路９に対して複数接続されていてもよいし、１つだけ接続されていてもよい。点灯回路９は、制御部１０Ａからの調光信号により、調光率に応じた電力を光源８に供給して光源８を点灯させるものである。
【００１５】
制御部１０Ａは、本照明システム１に設けられたリモコン２０から送出される指令信号を受信するリモコン受信部１１と、他の照明器具３Ａ、３Ｂ、３Ｃとの間で各種信号の送受信を行う通信部１２と、第１の光検知部４からの電圧信号を受信する光検知信号受信部１３Ａと、調光信号を生成するためのテーブルを記憶した記憶部１４Ａと、光検知信号受信部１３Ａが受信した電圧信号と記憶部１４Ａのテーブルを参照し、各種信号を生成する信号生成部１５Ａとを有する。
【００１６】
リモコン２０は、ユーザの操作に応じて、指令信号として屋内２の照度レベル設定する情報等を送出するものであって、この指令信号により室内の照度レベルを所望の目標値に設定することが可能である。リモコン２０の指令信号には、上述の情報の他に、照明器具３Ａ、３Ｂ、３Ｃのアドレスを設定する情報や、グループ化する照明器具３Ａ、３Ｂ、３Ｃを設定する情報等が含まれる。リモコン２０とリモコン受信部１１との間の通信手段としては、例えば、赤外線通信や特定小電力無線等が用いられる。リモコン受信部１１は、照明器具３Ａ全ての制御部１０Ａに対して必要なものではなく、リモコン２０が指令信号を送出する範囲に応じて、照明器具３Ａに適宜設けられればよい。
【００１７】
光検知信号受信部１３Ａは、第１の光検知部４からの受信した電圧信号をＡ／Ｄ変換し、当該変換値を第１の光検知部４の出力値として取得する。外光の光量の検知方法として、床面からの反射光を受光する方法を用いた場合には、外光が入射したした際の反射光の光量と、外光の光量が０％のときの反射光の光量とを比較し、その比率から外光の光量を決定した後、第１の光検知部４の出力値として取得する。そのため、夜間などの外光が入らない条件時に反射光の光量を測定しておき、この光量を予め記憶させておく。
【００１８】
記憶部１４Ａは、第１の光検知部４の出力値に応じて、同行の照明器具３Ａ、３Ｂ、３Ｃが設置された各位置での外光の受光量を記録した第１のテーブル１６と、照明器具３Ａ、３Ｂ、３Ｃの照度レベルをリモコン２０によって設定される目標値（規定値）に変更するための調光率を記録した相関テーブル１８とを記憶している。
【００１９】
信号生成部１５Ａは、第１のテーブル１６を参照して、第１の光検知部４の出力値に基づき、上記外光の受光量として外光による照度レベルを把握し、同行の他の照明器具３Ｂ、３Ｃに対して対応する照度レベルを通達する通達信号を生成する。さらに、信号生成部１５Ａは、自己の照明器具３Ａに該当する照度レベルに基づき、相関テーブル１８を参照して調光率を取得し、この調光率に応じて調光信号を生成する。
【００２０】
Ｎ列目の照明器具３Ｂは、図３（ｂ）に示すように、その制御部１０Ｂの構成が上述の制御部１０Ａと異なる点で１列目の照明器具３Ａと相違する。具体的には、制御部１０Ｂが、１列目の照明器具３Ａと同様のリモコン受信部１１と通信部１２と、後述する光検知信号受信部１３Ｂと記憶部１４Ｂと信号生成部１５Ｂとを有する。
【００２１】
光検知信号受信部１３Ｂは、第２の光検知部５からの電圧信号を受信し、この電圧信号をＡ／Ｄ変換し、当該変換値を第２の光検知部５の出力値として取得する。記憶部１４Ｂは、第２の光検知部５の出力値に応じて、同行の照明器具３Ａ、３Ｂ、３Ｃが設置された各位置での、壁２２近辺の照度に影響を及ぼす照明光の受光量を記録した第１のテーブル１７と、上記相関テーブル１８とを記憶している。ここで、上記照明光は、本照明システム１の照明器具３Ａ、３Ｂ、３Ｃによる光と、本照明システム１外の照明器具等による光とを含むものである。信号生成部１５Ｂは、第１のテーブル１７を参照して、第２の光検知部５の出力値に基づき、上記照明光の受光量から照明光による照度レベルを把握し、同行の他の照明器具３Ａ、３Ｃに対して対応する照度レベルを通達する通達信号を生成する。さらに、信号生成部１５Ｂは、１列目の照明器具３Ａの信号生成部１５Ａと同様に、調光信号を生成する。
【００２２】
２列目〜Ｎ−１列目の照明器具３Ｃは、図３（ｃ）に示すように、その制御部１０Ｃの構成が上述の制御部１０Ａ及び制御部１０Ｂと異なる点で１列目の照明器具３Ａ及びＮ列目の照明器具３Ｂと相違する。具体的には、制御部１０Ｃが、１列目の照明器具３Ａと同様のリモコン受信部１１と通信部１２と、上記相関テーブル１８のみを記憶した記憶部１４Ｃと、調光信号のみを生成する信号生成部１５Ｃとを有する。
【００２３】
さらに、上述の第１テーブル１６、第２テーブル１７及び相関テーブル１８について詳述する。図４は第１のテーブルを第１の光検知部４の出力値に応じてグラフ化したものである。本グラフは、縦軸が、上記外光の受光量としての外光による照度値及び照度レベル（電圧レベル）を表し、横軸が、窓２１からの距離及び照明器具３Ａ、３Ｂ、３Ｃの行アドレスを表している。図に示すように、行アドレスとして＃１が設定された照明器具（１列目の照明器具）３Ａの設置位置において、外光による照度レベルが最も高く、照明器具の設置位置が窓２１から遠ざかるにつれて、外光による照度レベルが低くなることが分かる。
【００２４】
図５は第２のテーブルを第２の光検知部５の出力値に応じてグラフ化したものを示す。本グラフは、縦軸が、上記照明光の受光量としての照明光による照度値及び照度レベル（電圧レベル）を表し、横軸が、壁２２からの距離及び照明器具３Ａ、３Ｂ、３Ｃの行アドレスを表している。図に示すように、行アドレスとして＃Ｎが設定された照明器具（Ｎ列目の照明器具）３Ｂの設置位置において、照明光による照度レベルが最も高く、照明器具の設置位置が壁２２から遠ざかるにつれて、照明光による照度レベルが低くなることがわかる。
【００２５】
図６は相関テーブルをグラフ化したものを示す。相関テーブル１８は、第１のテーブル１６及び第１のテーブル１７に記録した外光の受光量又は照明光の受光量から得られる外光又は照明光による照度レベルに基づき、照明器具３Ａ、３Ｂ、３Ｃの照度レベルを上述の目標値に変更するための調光率を記録したものである。ここで、相関データを作成する方法としては、リモコン２０の目標値に応じた基準レベル分の調光率データを用意しておく方法と、基準レベルを変更した際の変更比率を演算し、この変更比率に基づき調光率を補正する方法がある。本グラフは、縦軸が、調光率を表し、横軸が、外光又は照明光による照度レベル（電圧レベル）を表している。図に示すように、例えば、外光又は照明光の影響が全くない場合には、８０％の調光率となり、外光又は照明光による照度レベルが２Ｖである場合には、７６％の調光率となる。
【００２６】
次に、上記のように構成された照明システム１の動作について説明する。ユーザの操作によってリモコン２０から指令信号が送出されると、ユーザ近傍に位置する照明器具３Ａ、３Ｂ、３Ｃのリモコン受信部１１が、この指令信号を受信する。指令信号を受信した照明器具３Ａ、３Ｂ、３Ｃは、通信部１２を介して、指令信号を受信していない他の照明器具３Ａ、３Ｂ、３Ｃにこの信号を送信することで、全ての照明器具３Ａ、３Ｂ、３Ｃが、指令信号に設定された目標値を取得する。
【００２７】
次に、第１の光検知部４は外光の光量を検知し、１列目の照明器具３Ａの信号生成部１５Ａが第１の光検知部４の出力値に基づき、上述の通達信号を生成して同行のグループ化された照明器具３Ｂ、３Ｃ毎に、通信部１２を介して送信する。これにより、照明器具３Ａ、３Ｂ、３Ｃ全ての信号生成部１５Ａ、１５Ｂ、１５Ｃは、外光による照度レベルを把握を把握する。また、第２の光検知部５は照明光の光量を検知し、Ｎ列目の照明器具３Ｂの信号生成部１５Ｂが、第２の光検知部５の出力値に基づき、上述の通達信号を生成して同行のグループ化された照明器具３Ａ、３Ｃ毎に、通信部１２を介して送信する。これにより、照明器具３Ａ、３Ｂ、３Ｃ全ての信号生成部１５Ａ、１５Ｂ、１５Ｃは、照明光による照度レベルを把握する。
【００２８】
外光又は照明光による照度レベルを受信した照明器具３Ａ、３Ｂ、３Ｃの信号生成部１５Ａ、１５Ｂ、１５Ｃは、把握した照度レベルに基づき、相関テーブル１８を参照して調光率を取得し、上述の調光信号を生成して点灯回路９に送信する。この調光信号により、照明器具３Ａ、３Ｂ、３Ｃの全ての光源８は、指令信号に設定された目標値となるように調光点灯を行う。
【００２９】
ここで、窓２１付近に位置する照明器具３Ａ、３Ｂでは、光源８の光出力は、外光の光量が多い昼間の場合には弱くなり、外光の光量が少ない夜間の場合には強くなる。また、壁２２付近に位置する照明器具３Ｂ、３Ｃでは、光源８の光出力は、壁２２付近が影などによって暗い場合には強くなり、本照明システム１外の照明器具等による照明光の影響や壁２２が反射して明るくなる場合等には弱くなる。さらに、窓２１と壁２２との中央付近に位置する照明器具３Ｃでは、窓２１から入射した外光や上記照明光等の影響が無くなるので、調光率が一定となり、光源８の光出力は、略一定に保たれる。
【００３０】
以上、本実施形態に係る照明システム１によれば、第１のテーブル１６及び第１のテーブル１７を参照して外光又は反射光による照度レベルを把握した後、相関テーブル１８を参照して調光率を取得し、当該調光率により照明器具３Ａ、３Ｂ、３Ｃの調光を行うので、屋内２全体の照度が所定照度に保持されるように屋内照明することができる。また、無駄な消費電力を抑えて省エネルギー化を図ることができる。
【００３１】
（第２の実施形態）
本発明の第２の実施形態に係る照明システムについて図７及び上述の図３（ａ）（ｂ）を参照して説明する。本照明システム１では、図３（ａ）及び（ｂ）に示す１列目の照明器具３Ａ及びＮ列目の照明器具３Ｂが、同行の他の照明器具３Ａ、３Ｂ、３Ｃに対して、対応する照度レベルを通達する通達信号を送信するのに代えて、対応する調光信号を送信する点で第１の実施形態と相違する。本照明システムでは、図７に示すように、２列目〜Ｎ−１列目の照明器具３Ｃの制御部１０Ｃの構成が、第１の実施形態での制御部１０Ｃから相関テーブル１８を記憶した記憶部１４Ｃを除いた構成になっている。他の構成については、上記内容と同様である。
【００３２】
本照明システム１の動作について説明する。１列目の照明器具３Ａの信号生成部１５Ａは、第１のテーブル１６を参照して、上記外光の受光量として外光による照度レベルを把握した後、相関テーブル１８を参照して同行の照明器具３Ｂ、３Ｃにおける調光率を取得する。信号生成部１５Ａは、この調光率に応じて調光信号を生成し、同行の他の照明器具３Ｂ、３Ｃに対して、対応する調光信号を送信する。Ｎ列目の照明器具３Ｂの信号生成部１５Ｂについても、同等の動作を行う。これにより、照明器具３Ａ、３Ｂ、３Ｃ全ての光源８は、指令信号に設定された目標値となるように調光点灯を行う。
【００３３】
本実施形態に係る照明システム１によれば、照明器具３Ａ、３Ｂ、３Ｃ全てに相関テーブル１８を記憶させる必要がなく、第１の光検知部４が取り付けられる１列目の照明器具３Ａ及び第２の光検知部５が取り付けられるＮ列目の照明器具３Ｂに相関テーブル１８を持たせるだけで、光源８を調光制御することができる。そのため、制御部１０Ｂの簡素化を図ることができ、コストを低減することが可能である。
【００３４】
（第３の実施形態）
本発明の第３の実施形態に係る照明システムについて図８及び図９を参照して説明する。図８は、本実施形態に係る照明システムの概略構成を示し、図９は、本照明システムの照明器具の電気的なブロック構成を示す。本照明システム１では、各照明器具３Ａ、３Ｂ、３Ｃ内にそれぞれ、制御部１０Ａ、１０Ｂ、１０Ｃを設けずに、全ての照明器具３Ａ、３Ｂ、３Ｃを制御する一つの制御部３０を設け、この制御部３０によって、照明器具の光源８を集中的に調光制御する点で他の実施形態と相違する。照明器具３Ａ、３Ｂ、３Ｃはそれぞれ、上述の光源８と点灯回路９で構成される。このように構成することで、システム全体の簡素化を図ることができ、コストを一層低減することが可能である。
【００３５】
なお、本発明は、上記各種実施形態の構成に限られず、発明の趣旨を変更しない範囲で種々の変形が可能である。例えば、窓２１側から壁２２側に並んだ複数の配列毎に、照明器具３Ａ、３Ｂ、３Ｃをグループ化し、当該１つグループに対して第１の光検知部４及び第２の光検知部５を１箇所づつ設けることで、システム内での第１の光検知部４及び第２の光検知部５の個数を少なくしたものであってもよい。また、相関テーブル１８を照明器具の設置位置に応じて複数種類作成しておくことで、光源８の光出力を、第１の光検知部４及び第２の光検知部５から離れた位置における光環境の変化に対応できるようにしたものであってもよい。
【図面の簡単な説明】
【００３６】
【図１】本発明の第１の実施形態に係る照明システムを示す全体平面図。
【図２】同照明システムの配列構成を示す側面図。
【図３】（ａ）は同照明システムの１列目の照明器具を示すブロック図、（ｂ）は同照明システムのＮ列目の照明器具を示すブロック図、（ｃ）は同照明システムの２列目〜Ｎ−１列目の照明器具を示すブロック図。
【図４】同照明システムの記憶部に記憶される第１のテーブルを示すグラフ。
【図５】同記憶部に記憶される第２のテーブルを示すグラフ。
【図６】同記憶部に記憶される相関テーブルを示すグラフ。
【図７】本発明の第２の実施形態に係る照明システムの２列目〜Ｎ−１列目の照明器具を示すブロック図。
【図８】本発明の第３の実施形態に係る照明システムを示す全体平面図。
【図９】同照明システムの照明器具を示すブロック図。
【図１０】従来の照明システムを示すブロック図。
【図１１】従来の照明システムの配列構成を示す全体平面図。
【符号の説明】
【００３７】
１  照明システム
２  屋内
２１  窓
２２  壁
３Ａ、３Ｂ、３Ｃ  照明器具
４  第１の光検知部
５  第２の光検知部
７  通信線
１０Ａ、１０Ｂ、１０Ｃ  制御部
１６  第１のテーブル
１７  第２のテーブル
１８  相関テーブル
【図１】
2009110676.tif 000003
【図２】
2009110676.tif 000004
【図３】
2009110676.tif 000005
【図４】
2009110676.tif 000006
【図５】
2009110676.tif 000007
【図６】
2009110676.tif 000008
【図７】
2009110676.tif 000009
【図８】
2009110676.tif 000010
【図９】
2009110676.tif 000011
【図１０】
2009110676.tif 000012
【図１１】
2009110676.tif 000013